(57)【要約】  本発明である情報処理装置は、他のネットワーク装置の状況を表す管理情報を記憶する管理情報記憶手段と、所定のネットワーク装置から管理情報を含む伝送データを受信する受信手段と、管理情報記憶手段に記憶されている管理情報に対して、所定のネットワーク装置から受信した伝送データ内の管理情報が変更されている場合に、当該伝送データ内の管理情報を管理情報記憶手段に更新記憶する管理情報更新手段と、変更されている管理情報に基づく情報である変更管理情報を、さらに他のネットワーク装置に送信する送信手段と、を備え、上記送信手段は、所定のネットワーク装置から受信した伝送データに含まれる情報に基づいて特定されるネットワーク装置を送信先として、変更管理情報を送信する。
2014030321.tif 000002
【特許請求の範囲】
【請求項１】
複数のネットワーク装置が接続されて構成されたネットワークに接続されており、
他のネットワーク装置の状況を表す管理情報を記憶する管理情報記憶手段と、
所定のネットワーク装置から、当該所定のネットワーク装置の前記管理情報を含む伝送データを受信する受信手段と、
前記管理情報記憶手段に記憶されている管理情報に対して、前記所定のネットワーク装置から受信した前記伝送データ内の管理情報が変更されている場合に、当該伝送データ内の管理情報を前記管理情報記憶手段に更新記憶する管理情報更新手段と、
前記変更されている管理情報に基づく情報である変更管理情報を、さらに他のネットワーク装置に送信する送信手段と、を備え、
前記送信手段は、前記所定のネットワーク装置から受信した前記伝送データに含まれる情報に基づいて特定されるネットワーク装置を送信先として、前記変更管理情報を送信する、
情報処理装置。
【請求項２】
請求項１に記載の情報処理装置であって、
前記所定のネットワーク装置から受信した前記伝送データ内の管理情報は、前記所定のネットワーク装置が属するネットワークを特定するネットワーク特定情報を含んでおり、
前記送信手段は、前記所定のネットワーク装置から受信した前記伝送データ内の前記ネットワーク特定情報にて特定されるネットワークに属するネットワーク装置を特定し、当該特定されるネットワーク装置を送信先として前記変更管理情報を送信する、
情報処理装置。
【請求項３】
請求項１に記載の情報処理装置であって、
前記所定のネットワーク装置から受信した前記伝送データ内の管理情報は、ネットワーク装置を特定する機器特定情報を含んでおり、
前記送信手段は、前記所定のネットワーク装置から受信した前記伝送データ内の前記機器特定情報にて特定されるネットワーク装置を送信先として前記変更管理情報を送信する、
情報処理装置。
【請求項４】
請求項１に記載の情報処理装置であって、
前記送信手段は、前記変更されている管理情報に基づいてネットワーク装置を特定し、当該特定されるネットワーク装置を送信先として前記変更管理情報を送信する、
情報処理装置。
【請求項５】
請求項１乃至４のいずれかに記載の情報処理装置であって、
前記管理情報更新手段は、前記所定のネットワーク装置から受信した前記伝送データ内の管理情報を一時的に記憶して前記管理情報記憶手段に記憶されている管理情報と比較し、比較の結果、前記伝送データ内の管理情報が前記管理情報記憶手段に記憶されている管理情報に対して変更されている場合に、前記送信手段にて前記変更管理情報を送信するよう通知し、その後、一時的に記憶した前記伝送データ内の管理情報を前記管理情報記憶手段に更新記憶する、
情報処理装置。
【請求項６】
請求項１乃至５のいずれかに記載の情報処理装置であって、
前記伝送データは、ＬＬＤＰパケットである、
情報処理装置。
【請求項７】
複数のネットワーク装置が接続されて構成されたネットワークに接続されており、他のネットワーク装置の状況を表す管理情報を記憶する管理情報記憶手段を備えた情報処理装置に、
所定のネットワーク装置から、当該所定のネットワーク装置の前記管理情報を含む伝送データを受信する受信手段と、
前記管理情報記憶手段に記憶されている管理情報に対して、前記所定のネットワーク装置から受信した前記伝送データ内の管理情報が変更されている場合に、当該伝送データ内の管理情報を前記管理情報記憶手段に更新記憶する管理情報更新手段と、
前記変更されている管理情報に基づく情報である変更管理情報を、さらに他のネットワーク装置に送信する送信手段と、を実現させると共に、
前記送信手段は、前記所定のネットワーク装置から受信した前記伝送データ内に含まれる情報に基づいて特定されるネットワーク装置を送信先として、前記変更管理情報を送信する、
ことを実現させるためのプログラム。
【請求項８】
請求項７に記載のプログラムであって、
前記所定のネットワーク装置から受信した前記伝送データ内の管理情報は、前記所定のネットワーク装置が属するネットワークを特定するネットワーク特定情報を含んでおり、
前記送信手段は、前記所定のネットワーク装置から受信した前記伝送データ内の前記ネットワーク特定情報にて特定されるネットワークに属するネットワーク装置を特定し、当該特定されるネットワーク装置を送信先として前記変更管理情報を送信する、
プログラム。
【請求項９】
複数のネットワーク装置が接続されて構成されたネットワークに接続されており、他のネットワーク装置の状況を表す管理情報を記憶する管理情報記憶手段を備えた情報処理装置による情報処理方法であって、
所定のネットワーク装置から、当該所定のネットワーク装置の前記管理情報を含む伝送データを受信し、
前記管理情報記憶手段に記憶されている管理情報に対して、前記所定のネットワーク装置から受信した前記伝送データ内の管理情報が変更されている場合に、当該伝送データ内の管理情報を前記管理情報記憶手段に更新記憶し、
前記変更されている管理情報に基づく情報である変更管理情報を、さらに他のネットワーク装置に送信すると共に、前記所定のネットワーク装置から受信した前記伝送データ内に含まれる情報に基づいて特定されるネットワーク装置を送信先として、前記変更管理情報を送信する、
情報処理方法。
【請求項１０】
請求項９に記載の情報処理方法であって、
前記所定のネットワーク装置から受信した前記伝送データ内の管理情報は、前記所定のネットワーク装置が属するネットワークを特定するネットワーク特定情報を含んでおり、
前記所定のネットワーク装置から受信した前記伝送データ内の前記ネットワーク特定情報にて特定されるネットワークに属するネットワーク装置を特定し、当該特定されるネットワーク装置を送信先として前記変更管理情報を送信する、
情報処理方法。
【発明の詳細な説明】
【技術分野】
【０００１】
本発明は、情報処理装置にかかり、特に、ネットワークに接続されデータ伝送機能を有する情報処理装置に関する。
【背景技術】
【０００２】
ネットワーク技術の発達により、様々な情報処理装置がネットワークを介して接続され、データ伝送可能なネットワークシステムを構築している。このようなネットワークシステムにおいては、接続された情報処理装置であるネットワーク装置が安定してデータ伝送可能なよう、当該ネットワーク装置の制御・監視が必要となる。【０００３】
そして、ネットワーク装置の制御・監視は、一般的に各ネットワーク装置にＩＰアドレスを設定後、ＳＮＭＰ（Ｓｉｍｐｌｅ  Ｎｅｔｗｏｒｋ  Ｍａｎａｇｅｍｅｎｔ  Ｐｒｏｔｏｃｏｌ）を使用し、ネットワーク内における各装置の情報を収集することによって可能となる。なお、ＳＮＭＰとは、ＩＰ（Ｉｎｔｅｒｎｅｔ  Ｐｒｏｔｏｃｏｌ）ネットワークにおいて、ルーターやコンピュータなどネットワークに接続された通信装置をネットワーク経由で監視・制御を行うためのプロトコルである。制御対象となる装置は、ＭＩＢ（Ｍａｎａｇｅｍｅｎｔ  Ｉｎｆｏｒｍａｔｉｏｎ  Ｂａｓｅ）と呼ばれる管理情報データベースを持っており、管理を行なう側の装置は、対象装置のＭＩＢに基づいて適切な設定を行う。
【先行技術文献】
【特許文献】
【０００４】
【特許文献１】特開２０１１−２２３２９５号公報
【発明の概要】
【発明が解決しようとする課題】
【０００５】
ところが、ネットワーク装置の制御・監視は、監視装置と各ネットワーク装置との間で行なわれるため、ネットワーク装置が増えるほど、ネットワーク運用の際にネットワーク上の負荷が大きくなる、という問題が生じる。【０００６】
また、特許文献１に示すように、ネットワーク装置や端末の種類、設定情報などの管理情報を近接の装置に通知するレイヤー２レベルのプロトコルであるＬＬＤＰ（Ｌｉｎｋ  Ｌａｙｅｒ  Ｄｉｓｃｏｖｅｒｙ  Ｐｒｏｔｏｃｏｌ）を使用して、ネットワーク装置を制御・監視する方法がある。かかる方法によると、ＬＡＮ（Local Area Network）の接続関係をポートレベルで正確にかつ簡単に把握することができる。【０００７】
しかしながら、上述したＬＬＤＰを使用した場合には、近接装置のみの情報送信となり、また、ＬＬＤＰを透過する場合においても同一ネットワーク内の全てのネットワーク装置にマルチキャストで送信するため、上述同様に、ネットワーク運用の際にネットワーク上の負荷が大きくなる、という問題が生じる。【０００８】
このため、本発明の目的は、ネットワーク運用におけるネットワーク上の負荷が大きくなることを解決することができる情報処理装置を提供することにある。
【課題を解決するための手段】
【０００９】
本発明の一形態である情報処理装置は、
複数のネットワーク装置が接続されて構成されたネットワークに接続されており、
他のネットワーク装置の状況を表す管理情報を記憶する管理情報記憶手段と、
所定のネットワーク装置から、当該所定のネットワーク装置の前記管理情報を含む伝送データを受信する受信手段と、
前記管理情報記憶手段に記憶されている管理情報に対して、前記所定のネットワーク装置から受信した前記伝送データ内の管理情報が変更されている場合に、当該伝送データ内の管理情報を前記管理情報記憶手段に更新記憶する管理情報更新手段と、
前記変更されている管理情報に基づく情報である変更管理情報を、さらに他のネットワーク装置に送信する送信手段と、を備え、
前記送信手段は、前記所定のネットワーク装置から受信した前記伝送データに含まれる情報に基づいて特定されるネットワーク装置を送信先として、前記変更管理情報を送信する、
という構成をとる。【００１０】
また、本発明の他の形態であるプログラムは、
複数のネットワーク装置が接続されて構成されたネットワークに接続されており、他のネットワーク装置の状況を表す管理情報を記憶する管理情報記憶手段を備えた情報処理装置に、
所定のネットワーク装置から、当該所定のネットワーク装置の前記管理情報を含む伝送データを受信する受信手段と、
前記管理情報記憶手段に記憶されている管理情報に対して、前記所定のネットワーク装置から受信した前記伝送データ内の管理情報が変更されている場合に、当該伝送データ内の管理情報を前記管理情報記憶手段に更新記憶する管理情報更新手段と、
前記変更されている管理情報に基づく情報である変更管理情報を、さらに他のネットワーク装置に送信する送信手段と、を実現させると共に、
前記送信手段は、前記所定のネットワーク装置から受信した前記伝送データ内に含まれる情報に基づいて特定されるネットワーク装置を送信先として、前記変更管理情報を送信する、
ことを実現させるためのプログラムである。【００１１】
また、本発明の他の形態である情報処理方法は、
複数のネットワーク装置が接続されて構成されたネットワークに接続されており、他のネットワーク装置の状況を表す管理情報を記憶する管理情報記憶手段を備えた情報処理装置による情報処理方法であって、
所定のネットワーク装置から、当該所定のネットワーク装置の前記管理情報を含む伝送データを受信し、
前記管理情報記憶手段に記憶されている管理情報に対して、前記所定のネットワーク装置から受信した前記伝送データ内の管理情報が変更されている場合に、当該伝送データ内の管理情報を前記管理情報記憶手段に更新記憶し、
前記変更されている管理情報に基づく情報である変更管理情報を、さらに他のネットワーク装置に送信すると共に、前記所定のネットワーク装置から受信した前記伝送データ内に含まれる情報に基づいて特定されるネットワーク装置を送信先として、前記変更管理情報を送信する、
という構成をとる。
【発明の効果】
【００１２】
本発明は、以上のように構成されることにより、ネットワーク運用におけるネットワーク上の負荷の軽減を図ることができる。
【図面の簡単な説明】
【００１３】
【図１】本発明におけるネットワークシステムの構成及び動作を示す図である。
【図２】図１に開示したネットワーク装置の構成を示すブロック図である。
【図３】図１に開示したネットワーク装置の動作を示すフローチャートである。
【図４】本発明におけるネットワークシステムの動作を比較する対象となる他のネットワークシステムの構成及び動作を示す図である。
【図５】本発明の付記１における情報処理装置の構成を示すブロック図である。
【発明を実施するための形態】
【００１４】
＜実施形態１＞
本発明の第１の実施形態を、図１乃至図４を参照して説明する。図１は、ネットワークシステムの構成及び動作を示す図である。図２は、ネットワークシステムを構成するネットワーク装置の構成を示すブロック図であり、図３はその動作を示すフローチャートである。図４は、関連するネットワークシステムの構成及び動作を示す図である。
【００１５】
［構成］
本発明におけるネットワークシステムは、図１に示すように、有線あるいは無線ネットワークに複数のネットワーク装置１０１−１０５が接続されて構成されている。なお、ネットワーク装置は、例えば、ＩＰ電話機、プリンタ、アクセスポイント、ルーターなど、データ伝送可能な情報処理装置である。以下、図１の符号１０１に示すネットワーク装置のように、所定のネットワーク装置から送信されたデータを他のネットワーク装置に転送するネットワーク装置１０１の構成について説明する。
【００１６】
図２に示すように、ネットワーク装置１０１は、他のネットワーク装置とパケットデータの送受信を行なう複数のインタフェース部２０６と、パケットデータの転送処理を行うパケットスイッチ（パケットデータのDrop/insert回路）２０４と、を備えている。また、ネットワーク装置１０１は、パケットデータに対する処理を行うＣＰＵ（Central Processing Unit）２０９を備えており、図２に示すように、ＣＰＵ２０９にプログラムが組み込まれることにより構築された、パケット識別回路２０５と、比較回路２０７と、パケット生成回路２０８と、を備えている。さらに、ネットワーク装置１０１は、記憶装置を備えており、図２に示すように、他のネットワーク装置１０２等の状況を表す管理情報であるＬＬＤＰ情報を記憶したＬＬＤＰ情報データベース２０１を備えている。以下、各構成について詳述する。
【００１７】
上記パケットインタフェース回路２０６は、パケットスイッチ２０４と接続されている。そして、パケットインタフェース回路２０６は、他のネットワーク装置１０２−１０４から、つまり外部からのパケットデータを受信し、パケットスイッチ２０４に送信する。また、パケットインタフェース回路２０６は、パケットスイッチ２０４から受信したパケットデータを外部に送信する処理を行う。
【００１８】
上記パケットスイッチ２０４は、上述したパケットインタフェース回路２０６、パケット識別回路２０５、パケット生成回路２０８と接続されている。そして、パケットスイッチ２０４は、パケットインタフェース回路２０６から受信したパケットデータをパケット識別回路２０５に転送したり、パケット生成回路２０８から受信したパケットデータをパケットインタフェース回路２０６に転送する、という処理を行う。
【００１９】
ここで、ネットワーク装置１０１は、ＬＬＤＰパケットを含んだパケットデータの転送処理を行う。ＬＬＤＰ（Ｌｉｎｋ  Ｌａｙｅｒ  Ｄｉｓｃｏｖｅｒｙ  Ｐｒｏｔｏｃｏｌ）は、上述したようにネットワーク装置の種類、設定情報などの管理情報を近接の装置に通知するレイヤー２レベルのプロトコルである。具体的に、ＬＬＤＰパケットは、自装置の状況を表す管理情報として、自装置の識別情報である「機器ＩＤ」と、接続されているネットワーク内における自装置の「ポート番号」と、を含んでいる。また、ＬＬＤＰパケットは、ネットワーク装置間で任意に定義できる領域に、自装置の状況を表す管理情報を含んでおり、例えば、自装置が属している仮想ネットワークを特定するネットワーク特定情報である「ＶＬＡＮ  ＩＤ」を含んでいる。さらに、ＬＬＤＰパケットに含まれる管理情報としては、自装置が接続されている回線の帯域を表す情報や、ＬＬＤＰパケットの転送先となる他のネットワーク機器を特定する情報、などを含んでいる。
【００２０】
上記ＬＬＤＰパケットは、例えば、各ネットワーク装置１０２等により自装置の設定変更があったときや、予め設定された間隔で送信される。すると、ネットワーク装置１０１は、近隣の所定のネットワーク装置１０２等から送信されたＬＬＤＰパケットを受信すると、当該ＬＬＤＰパケットをさらに他のネットワーク装置１０３等に転送するよう作動する。実際に、ＬＬＤＰパケットを転送する処理は、上述したようにパケットスイッチ２０４で行われるが、転送に伴い、ＬＬＤＰの解析処理がパケット識別回路２０５等で行われる。
【００２１】
上記パケット識別回路２０５（受信手段）は、所定のネットワーク装置１０２から送信されパケットスイッチ２０４から転送されたパケットデータ（伝送データ）を受信し、パケットデータの種別がＬＬＤＰパケットであるか否かの識別を行う。かかる識別は、パケットデータのヘッダ部分の情報の内容を調べることにより可能である。そして、パケット識別回路２０５は、受信したパケットデータがＬＬＤＰパケットであると識別した場合には、かかるＬＬＤＰパケットを、ＬＬＤＰ情報データベース２０１内のＬＬＤＰ  ＭＩＢ−Ｂ２０３の領域に書き込む。このＬＬＤＰ  ＭＩＢ−Ｂ２０３は、受信したＬＬＤＰパケットを一時的に格納する領域である。
【００２２】
また、上記比較回路２０７（管理情報更新手段）は、ＬＬＤＰ情報データベース２０１内のＬＬＤＰ  ＭＩＢ−Ｂ２０３の領域に書き込まれたＬＬＤＰパケットの内容と、ＬＬＤＰ情報データベース２０１内のＬＬＤＰ  ＭＩＢ−Ａ２０２に含まれるＬＬＤＰパケットの内容との比較を行う。ここで、ＬＬＤＰ  ＭＩＢ−Ａ２０２は、これまでに各ネットワーク装置から受信したＬＬＤＰパケットに含まれる管理情報を格納したマスタデータベースである。このため、比較回路２０７は、例えば、ＬＬＤＰ  ＭＩＢ−Ａ２０２及びＬＬＤＰ  ＭＩＢ−Ｂ２０３内の「ポート番号」や「機器ＩＤ」が一致するものの「管理情報」を比較して、差分があるかどうか調べる。そして、比較回路２０７は、差分があった場合には、ＬＬＤＰ  ＭＩＢ−Ｂ２０３に格納されたＬＬＤＰパケットの内容で、ＬＬＤＰ  ＭＩＢ−Ａ２０２内の対応するＬＬＤＰパケットの内容を更新して記憶する。例えば、所定のネットワーク装置１０２に対応する「管理情報」である「ＶＬＡＮ  ＩＤ」が変更されていた場合には、当該変更されていた情報にＬＬＤＰ  ＭＩＢ−Ａ２０２を更新する。そして、比較回路２０７は、差分があった場合には、パケット生成回路２０８にＬＬＤＰパケットの生成通知を行う。
【００２３】
上記パケット生成回路２０８（出力手段）は、上述したように比較回路２０７から通知のあったＬＬＤＰパケットを生成し、パケットスイッチ２０４に対してパケット送信を行う。つまり、所定のネットワーク装置１０２からのＬＬＤＰパケットに変更があった場合には、当該ネットワーク装置１０２の変更された管理情報を含むＬＬＤＰパケット（変更管理情報）を新たに生成して、パケットスイッチ２０４に送信する。
【００２４】
このとき、パケット生成回路２０８は、所定のネットワーク装置１０２から受信したＬＬＤＰパケットに含まれる情報に基づいて、生成したＬＬＤＰパケットの転送先となる他のネットワーク装置を特定し、当該特定したネットワーク装置のみにＬＬＤＰパケットを転送するようパケットスイッチ２０４に指示する。例えば、所定のネットワーク装置１０２から受信したＬＬＤＰパケットに含まれる管理情報である当該所定のネットワーク装置１０２が属する仮想ネットワークを特定し、同一の仮想ネットワークに属する他のネットワーク装置のみを転送先として特定する。
【００２５】
上記のようにすることで、ネットワーク装置の管理情報の変更を、特定のネットワーク装置のみに転送して通知することができる。つまり、本発明においては、図１に示すように、ネットワーク装置１０１が所定のネットワーク装置１０２からＬＬＤＰパケットを受信した場合には、当該ネットワーク装置１０２の管理情報を含む新たなＬＬＤＰパケットを、当該ＬＬＤＰパケットを必要とする特定のネットワーク装置１０３のみに対して転送し、さらに他のネットワーク装置１０４，１０５に対しては転送しない。これにより、通常ＬＬＤＰパケットは、図４に示すように、他の全てのネットワーク装置に対してマルチキャストパケットとして転送されるが、かかる場合と比較して、ネットワーク運用におけるネットワーク上の負荷を低減することができる。
【００２６】
なお、パケット生成回路２０８は、生成したＬＬＤＰパケットの転送先となるネットワーク装置として、受信したＬＬＤＰパケットに含まれている他の情報に基づいて特定してもよい。例えば、所定のネットワーク装置１０２から送信されたＬＬＤＰパケットに予め転送先となるネットワーク装置を特定する情報（機器特定情報）、例えば、「機器ＩＤ」が含まれている場合には、当該含まれている機器ＩＤに対応するネットワーク機器を転送先として特定する。
【００２７】
また、パケット生成回路２０８は、受信したＬＬＤＰパケットに含まれる管理情報の変更に応じて、転送先となるネットワーク機器を特定してもよい。例えば、ＬＬＤＰパケットに管理情報として「回線の帯域情報」が含まれており、当該回線の帯域情報が変更された場合を考える。この場合、このＬＬＤＰパケットを送信してきたネットワーク機器と同一の仮想ネットワークに属するネットワーク機器を転送先として特定する、という処理を行ってもよい。これにより、回線の帯域が変更された仮想ネットワークに属するネットワーク機器に対してのみ、必要な情報を通知することができ、ネットワーク上の負荷を低減することができる。
【００２８】
［動作］
次に、上述したネットワーク装置１０１の動作を、図３のフローチャートを参照して説明する。
【００２９】
まず、所定のネットワーク装置１０２からパケットデータが送信されると、このパケットデータをネットワーク装置１０１のパケットインタフェース回路２０６が受信し、パケットスイッチ２０４へ送信する（ステップＳ１）。そして、パケットスイッチ２０４は、パケット識別回路２０５にパケットデータを送信する（ステップＳ２）。
【００３０】
続いて、パケット識別回路２０５は、パケットデータがＬＬＤＰパケットであるか否かの識別を行う（ステップＳ３）。パケットデータがＬＬＤＰパケットである場合には、パケット識別回路２０５が、当該ＬＬＤＰパケットに含まれる情報（ポート番号、機器ＩＤ、管理情報等）を、ＬＬＤＰ  ＭＩＢ−Ｂ２０３に格納する（ステップＳ４）。そして、比較回路２０７が、ＬＬＤＰ  ＭＩＢ−Ａ２０２の内容とＬＬＤＰ  ＭＩＢ−Ｂ２０３の内容とを比較する（ステップＳ５）。この比較の結果、ＬＬＤＰ  ＭＩＢ−Ａ２０２とＬＬＤＰ  ＭＩＢ−Ｂ２０３とに差分が有る場合には、ＬＬＤＰ  ＭＩＢ−Ｂ２０３に新規登録された管理情報をパケット生成回路２０８に通知する（ステップＳ６）。
【００３１】
そして、パケット生成回路２０８は、通知された管理情報に基づくＬＬＤＰパケットを新たに生成して、パケットスイッチ２０４に対してＬＬＤＰパケットを送信する（ステップＳ７）。このとき、パケット生成回路２０８は、ＬＬＤＰ  ＭＩＢ−Ｂ２０３に新規登録された管理情報に基づいて、新たに生成したＬＬＤＰパケットの転送先となるネットワーク装置を特定して、パケットスイッチ２０４に送信する。
【００３２】
すると、パケットスイッチ２０４からパケットインタフェース回路２０６に対してＬＬＤＰパケットが送信され（ステップＳ８）、当該パケットインタフェース回路２０６から外部回線に対してＬＬＤＰパケットが送信される（ステップＳ９）。このとき、ＬＬＤＰパケットは、転送先として特定されたネットワーク装置１０３のみに対して送信され、他のネットワーク装置１０４，１０５に対しては送信されない。
【００３３】
その後、比較回路２０７が、ＬＬＤＰ  ＭＩＢ−Ｂ２０３の内容をＬＬＤＰ  ＭＩＢ−Ａ２０２に反映させて、当該ＬＬＤＰ  ＭＩＢ−Ａ２０２を更新する（ステップＳ１０）。これにより、パケットスイッチ２０４は、ＬＬＤＰ  ＭＩＢ−Ａ２０２の管理情報に従ってパケット転送処理を行う設定を変更する（ステップＳ１１）。なお、比較回路２０７によるＬＬＤＰ  ＭＩＢ−Ａ２０２の更新は、いかなるタイミングで行われてもよい。
【００３４】
以上のように、本発明によると、下記３点からネットワーク運用を行う際におけるネットワーク上の負荷の軽減が可能である。
（１）ＳＮＭＰで制御を行なう際には、ＩＰアドレスの設定が必要となるが、ＩＰアドレスを必要としないＬＬＤＰを使用することにより、ネットワーク運用する際のＩＰアドレス設定が不要となるので、事前準備の負荷が軽減する。
（２）離れた装置に対しても設定情報の通知ができるため、一装置の設定変更で複数装置での設定情報の連携が可能となり、監視対象とするネットワーク装置の数を減らすことができる。
（３）通常、同一ネットワーク内の全てのネットワーク装置に送信するマルチキャストパケット（図４参照）であるＬＬＤＰパケットを、管理情報の通知が識別可能である装置にのみに転送を可能とすることで、ネットワーク内における負荷が減少する。
【００３５】
なお、上記では、ＬＬＤＰパケットを転送する場合を説明したが、転送するデータはＬＬＤＰパケットであることに限定されない。また、上記では、パケット伝送ネットワークについて説明したが、図２に示すネットワーク装置が備えるパケットインタフェース回路２０６を、ＰｏＡ回路（Ｐａｃｋｅｔ  Ｏｖｅｒ  ＡＴＭ）に変更することで、ＡＴＭネットワークを介して接続された装置間においても、上述同様に管理情報の連携が可能となる。
【００３６】
＜付記＞
上記実施形態の一部又は全部は、以下の付記のようにも記載されうる。以下、本発明における情報処理装置（図５参照）、プログラム、情報処理方法の構成の概略を説明する。但し、本発明は、以下の構成に限定されない。
【００３７】
（付記１）
複数のネットワーク装置が接続されて構成されたネットワークに接続されており、
他のネットワーク装置の状況を表す管理情報を記憶する管理情報記憶手段２１と、
所定のネットワーク装置から、当該所定のネットワーク装置の前記管理情報を含む伝送データを受信する受信手段１１と、
前記管理情報記憶手段に記憶されている管理情報に対して、前記所定のネットワーク装置から受信した前記伝送データ内の管理情報が変更されている場合に、当該伝送データ内の管理情報を前記管理情報記憶手段に更新記憶する管理情報更新手段１２と、
前記変更されている管理情報に基づく情報である変更管理情報を、さらに他のネットワーク装置に送信する送信手段１３と、を備え、
前記送信手段１３は、前記所定のネットワーク装置から受信した前記伝送データに含まれる情報に基づいて特定されるネットワーク装置を送信先として、前記変更管理情報を送信する、
情報処理装置１。
【００３８】
（付記２）
付記１に記載の情報処理装置であって、
前記所定のネットワーク装置から受信した前記伝送データ内の管理情報は、前記所定のネットワーク装置が属するネットワークを特定するネットワーク特定情報を含んでおり、
前記送信手段は、前記所定のネットワーク装置から受信した前記伝送データ内の前記ネットワーク特定情報にて特定されるネットワークに属するネットワーク装置を特定し、当該特定されるネットワーク装置を送信先として前記変更管理情報を送信する、
情報処理装置。
【００３９】
（付記３）
付記１に記載の情報処理装置であって、
前記所定のネットワーク装置から受信した前記伝送データ内の管理情報は、ネットワーク装置を特定する機器特定情報を含んでおり、
前記送信手段は、前記所定のネットワーク装置から受信した前記伝送データ内の前記機器特定情報にて特定されるネットワーク装置を送信先として前記変更管理情報を送信する、
情報処理装置。
【００４０】
（付記４）
付記１に記載の情報処理装置であって、
前記送信手段は、前記変更されている管理情報に基づいてネットワーク装置を特定し、当該特定されるネットワーク装置を送信先として前記変更管理情報を送信する、
情報処理装置。
【００４１】
（付記５）
付記１乃至４のいずれかに記載の情報処理装置であって、
前記管理情報更新手段は、前記所定のネットワーク装置から受信した前記伝送データ内の管理情報を一時的に記憶して前記管理情報記憶手段に記憶されている管理情報と比較し、比較の結果、前記伝送データ内の管理情報が前記管理情報記憶手段に記憶されている管理情報に対して変更されている場合に、前記送信手段にて前記変更管理情報を送信するよう通知し、その後、一時的に記憶した前記伝送データ内の管理情報を前記管理情報記憶手段に更新記憶する、
情報処理装置。
【００４２】
（付記６）
付記１乃至５のいずれかに記載の情報処理装置であって、
前記伝送データは、ＬＬＤＰパケットである、
情報処理装置。
【００４３】
（付記７）
複数のネットワーク装置が接続されて構成されたネットワークに接続されており、他のネットワーク装置の状況を表す管理情報を記憶する管理情報記憶手段を備えた情報処理装置に、
所定のネットワーク装置から、当該所定のネットワーク装置の前記管理情報を含む伝送データを受信する受信手段と、
前記管理情報記憶手段に記憶されている管理情報に対して、前記所定のネットワーク装置から受信した前記伝送データ内の管理情報が変更されている場合に、当該伝送データ内の管理情報を前記管理情報記憶手段に更新記憶する管理情報更新手段と、
前記変更されている管理情報に基づく情報である変更管理情報を、さらに他のネットワーク装置に送信する送信手段と、を実現させると共に、
前記送信手段は、前記所定のネットワーク装置から受信した前記伝送データ内に含まれる情報に基づいて特定されるネットワーク装置を送信先として、前記変更管理情報を送信する、
ことを実現させるためのプログラム。
【００４４】
（付記８）
付記７に記載のプログラムであって、
前記所定のネットワーク装置から受信した前記伝送データ内の管理情報は、前記所定のネットワーク装置が属するネットワークを特定するネットワーク特定情報を含んでおり、
前記送信手段は、前記所定のネットワーク装置から受信した前記伝送データ内の前記ネットワーク特定情報にて特定されるネットワークに属するネットワーク装置を特定し、当該特定されるネットワーク装置を送信先として前記変更管理情報を送信する、
プログラム。
【００４５】
（付記９）
複数のネットワーク装置が接続されて構成されたネットワークに接続されており、他のネットワーク装置の状況を表す管理情報を記憶する管理情報記憶手段を備えた情報処理装置による情報処理方法であって、
所定のネットワーク装置から、当該所定のネットワーク装置の前記管理情報を含む伝送データを受信し、
前記管理情報記憶手段に記憶されている管理情報に対して、前記所定のネットワーク装置から受信した前記伝送データ内の管理情報が変更されている場合に、当該伝送データ内の管理情報を前記管理情報記憶手段に更新記憶し、
前記変更されている管理情報に基づく情報である変更管理情報を、さらに他のネットワーク装置に送信すると共に、前記所定のネットワーク装置から受信した前記伝送データ内に含まれる情報に基づいて特定されるネットワーク装置を送信先として、前記変更管理情報を送信する、
情報処理方法。
【００４６】
（付記１０）
付記９に記載の情報処理方法であって、
前記所定のネットワーク装置から受信した前記伝送データ内の管理情報は、前記所定のネットワーク装置が属するネットワークを特定するネットワーク特定情報を含んでおり、
前記所定のネットワーク装置から受信した前記伝送データ内の前記ネットワーク特定情報にて特定されるネットワークに属するネットワーク装置を特定し、当該特定されるネットワーク装置を送信先として前記変更管理情報を送信する、
情報処理方法。
【００４７】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００４８】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【００４９】
なお、本発明は、日本国にて２０１２年８月２４日に特許出願された特願２０１２−１８５５２０の特許出願に基づく優先権主張の利益を享受するものであり、当該特許出願に記載された内容は、全て本明細書に含まれるものとする。
【符号の説明】
【００５０】
１  情報処理装置
１１  受信手段
１２  管理情報更新手段
１３  送信手段
２１  管理情報記憶手段
１０１−１０５  ネットワーク装置
２０１  ＬＬＤＰ情報データベース
２０２  ＬＬＤＰ  ＭＩＢ−Ａ
２０３  ＬＬＤＰ  ＭＩＢ−Ｂ
２０４  パケットスイッチ
２０５  パケット識別回路
２０６  パケットインタフェース
２０７  比較回路
２０８  パケット生成回路
【図１】
2014030321.tif 000003
【図２】
2014030321.tif 000004
【図３】
2014030321.tif 000005
【図４】
2014030321.tif 000006
【図５】
2014030321.tif 000007
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
複数のネットワーク装置が接続されて構成されたネットワークに接続されており、
他のネットワーク装置の状況を表す管理情報を記憶する管理情報記憶手段と、
所定のネットワーク装置から、当該所定のネットワーク装置の前記管理情報を含む伝送データを受信する受信手段と、
前記管理情報記憶手段に記憶されている管理情報に対して、前記所定のネットワーク装置から受信した前記伝送データ内の管理情報が変更されている場合に、当該伝送データ内の管理情報を前記管理情報記憶手段に更新記憶する管理情報更新手段と、
前記変更されている管理情報に基づく情報である変更管理情報を、さらに他のネットワーク装置に送信する送信手段と、を備え、
前記送信手段は、前記所定のネットワーク装置から受信した前記伝送データに含まれる情報に基づいて特定されるネットワーク装置を送信先として、前記変更管理情報を送信する、
情報処理装置。
【請求項２】
請求項１に記載の情報処理装置であって、
前記所定のネットワーク装置から受信した前記伝送データ内の管理情報は、前記所定のネットワーク装置が属するネットワークを特定するネットワーク特定情報を含んでおり、
前記所定のネットワーク装置から受信した前記伝送データ内の前記ネットワーク特定情報にて特定されるネットワークに属するネットワーク装置を特定する手段をさらに備え、
前記送信手段は、当該特定されたネットワーク装置を送信先として前記変更管理情報を送信する、
情報処理装置。
【請求項３】
請求項１に記載の情報処理装置であって、
前記所定のネットワーク装置から受信した前記伝送データ内の管理情報は、ネットワーク装置を特定する機器特定情報を含んでおり、
前記送信手段は、前記所定のネットワーク装置から受信した前記伝送データ内の前記機器特定情報にて特定されるネットワーク装置を送信先として前記変更管理情報を送信する、
情報処理装置。
【請求項４】
請求項１に記載の情報処理装置であって、
前記変更されている管理情報に基づいてネットワーク装置を特定する手段をさらに備え、
前記送信手段は、当該特定されたネットワーク装置を送信先として前記変更管理情報を送信する、
情報処理装置。
【請求項５】
請求項１乃至４のいずれかに記載の情報処理装置であって、
前記管理情報更新手段は、前記所定のネットワーク装置から受信した前記伝送データ内の管理情報を一時的に記憶して前記管理情報記憶手段に記憶されている管理情報と比較し、比較の結果、前記伝送データ内の管理情報が前記管理情報記憶手段に記憶されている管理情報に対して変更されている場合に、前記送信手段にて前記変更管理情報を送信するよう通知し、その後、一時的に記憶した前記伝送データ内の管理情報を前記管理情報記憶手段に更新記憶する、
情報処理装置。
【請求項６】
請求項１乃至５のいずれかに記載の情報処理装置であって、
前記伝送データは、ＬＬＤＰパケットである、
情報処理装置。
【請求項７】
複数のネットワーク装置が接続されて構成されたネットワークに接続されており、他のネットワーク装置の状況を表す管理情報を記憶する管理情報記憶手段を備えた情報処理装置に、
所定のネットワーク装置から、当該所定のネットワーク装置の前記管理情報を含む伝送データを受信する受信手段と、
前記管理情報記憶手段に記憶されている管理情報に対して、前記所定のネットワーク装置から受信した前記伝送データ内の管理情報が変更されている場合に、当該伝送データ内の管理情報を前記管理情報記憶手段に更新記憶する管理情報更新手段と、
前記変更されている管理情報に基づく情報である変更管理情報を、さらに他のネットワーク装置に送信する送信手段と、を実現させると共に、
前記送信手段は、前記所定のネットワーク装置から受信した前記伝送データ内に含まれる情報に基づいて特定されるネットワーク装置を送信先として、前記変更管理情報を送信する、
ことを実現させるためのプログラム。
【請求項８】
請求項７に記載のプログラムであって、
前記所定のネットワーク装置から受信した前記伝送データ内の管理情報は、前記所定のネットワーク装置が属するネットワークを特定するネットワーク特定情報を含んでおり、
情報処理装置に、さらに、前記所定のネットワーク装置から受信した前記伝送データ内の前記ネットワーク特定情報にて特定されるネットワークに属するネットワーク装置を特定する手段を実現させ、
前記送信手段は、当該特定されたネットワーク装置を送信先として前記変更管理情報を送信する、
プログラム。
【請求項９】
複数のネットワーク装置が接続されて構成されたネットワークに接続されており、他のネットワーク装置の状況を表す管理情報を記憶する管理情報記憶手段を備えた情報処理装置による情報処理方法であって、
所定のネットワーク装置から、当該所定のネットワーク装置の前記管理情報を含む伝送データを受信し、
前記管理情報記憶手段に記憶されている管理情報に対して、前記所定のネットワーク装置から受信した前記伝送データ内の管理情報が変更されている場合に、当該伝送データ内の管理情報を前記管理情報記憶手段に更新記憶し、
前記変更されている管理情報に基づく情報である変更管理情報を、さらに他のネットワーク装置に送信すると共に、前記所定のネットワーク装置から受信した前記伝送データ内に含まれる情報に基づいて特定されるネットワーク装置を送信先として、前記変更管理情報を送信する、
情報処理方法。
【請求項１０】
請求項９に記載の情報処理方法であって、
前記所定のネットワーク装置から受信した前記伝送データ内の管理情報は、前記所定のネットワーク装置が属するネットワークを特定するネットワーク特定情報を含んでおり、
前記所定のネットワーク装置から受信した前記伝送データ内の前記ネットワーク特定情報にて特定されるネットワークに属するネットワーク装置を特定し、
当該特定されたネットワーク装置を送信先として前記変更管理情報を送信する、
情報処理方法。
【国際調査報告】
2014030321.tif 000008
2014030321.tif 000009